(57)【要約】  移動局識別子を取り扱う方法の一実施形態では、パケット・データ・セッション取扱い機能の実行において移動局識別子全体を使用していた少なくとも１つのネットワーク要素（３６、３０）は、移動局識別子全体より短いものを使用するようにプログラムされる。
2009542160.tif 000002
【特許請求の範囲】
【請求項１】
移動局識別子を取り扱う方法であって、
パケット・データ・セッション取扱い機能の実行において、移動局識別子全体を使用していた少なくとも１つのネットワーク要素（３６、３０）をプログラムして、前記移動局識別子全体より短いものを使用するステップ
を含む方法。
【請求項２】
前記ネットワーク要素が、前記移動局識別子の最下位１０桁を使用するように、前記プログラミング・ステップが、前記ネットワーク要素をプログラムする、請求項１に記載の方法。
【請求項３】
前記ネットワーク要素が、前記プログラミング・ステップに先立って１５桁の移動局識別子を使用していた、請求項２に記載の方法。
【請求項４】
前記ネットワーク要素が、プログラミング・ステップに先立って１５桁の国際移動体加入者識別子ＩＭＳＩを使用していた、請求項３に記載の方法。
【請求項５】
前記プログラミング・ステップが、パケット・データ・サービス・ノードおよびパケット制御機能ユニットの少なくとも１つをプログラムする、請求項１に記載の方法。
【請求項６】
前記パケット・データ・セッション取扱い機能が、ハンドオフ、ドーマント終結、およびセル境界呼配信の少なくとも１つを含む、請求項１および５のいずれか１項に記載の方法。
【請求項７】
パケット・データ・セッション取扱い機能の実行において前記移動局識別子全体の中で使用するように前記ネットワーク要素を再プログラミングするステップをさらに含む、請求項１に記載の方法。
【請求項８】
移動局識別子を取り扱う方法であって、
パケット・データ・セッション取扱い機能の実行において移動局識別子全体より短いものを使用するステップ
を含む方法。
【請求項９】
前記使用するステップが、前記移動局識別子の最下位１０桁を使用する、請求項８に記載の方法。
【請求項１０】
１５桁の移動局識別子を受信するステップ
をさらに含む、請求項９に記載の方法。
【発明の詳細な説明】
【技術分野】
【０００１】
本発明は、通信に関し、より詳細には無線通信に関する。
【背景技術】
【０００２】
無線通信の分野においては、システムは、一般に、システムのサービス対象領域内に分散された複数の基地局を含む。その場合、固定または移動体の、領域内の様々な利用者が、システムにアクセスし、それによって、基地局の１つまたは複数を介して、他の相互接続された通信システムにアクセスする。一般に、携帯端末は、１つの基地局と、次いで、利用者が移動するにつれて別の基地局と通信することにより領域を通過するとき、システムとの通信を維持する。携帯端末は、最も近い基地局、最も強い信号を持つ基地局、通信を受けるのに十分な容量を持つ基地局などと通信することができる。
【０００３】
無線加入者との回線交換およびパケット交換データ通信は、移動局識別情報（「ＭＳＩＤ」）によって取り扱われ、経路付けされる。ＭＳＩＤは、一般に１０桁の移動体識別番号（「ＭＩＮ」）または１５桁の国際移動加入者識別子（「ＩＭＳＩ」）のいずれかにより特徴付けることができる。本明細書におけるＭＩＮに対する全ての参照はまた、北米外のサービス・プロバイダに割り当てられる国際ローミングＭＩＮ［ＩＲＭ］を含む。ＭＩＮは、ダイアル可能な１０桁の移動体ディレクトリ番号（ＭＤＮ）などで一般にフォーマットされた１０桁の番号である。しかしながら、ＭＩＮはダイアル可能な番号としては定義されていない。ＩＭＳＩは、ＩＴＵ−Ｔ勧告Ｅ．２１２に基づく１５桁の非ダイアル可能番号であり、したがって、１０桁のＭＤＮと互換性がない。ＩＭＳＩのフォーマットは、以下に与えられる。
ＩＭＳＩ（１５桁）＝ＭＣＣ（３桁）＋ＭＮＣ（最大３桁）＋ＭＳＩＮ（全ての残りの桁）
【０００４】
国識別コード（ＭＣＣ）は、ＩＭＳＩの最初の３桁を形成し、契約先システムが設置されている国を識別する。次の３桁以下からなる事業者識別コード（ＭＮＣ）と共に、ＭＣＣ＋ＭＮＣは、契約先（ｈｏｍｅ）システムを識別する契約先システムコードを形成する。移動局識別番号（ＭＳＩＮ）は、契約先システム内の移動体加入者を一意に識別する。ＩＭＳＩは、世界中の様々な標準において使用されている。ＩＭＳＩは、無線ユニット利用者が、サービス契約を結んでいるサービス・プロバイダにより無線ユニットまたは加入者身元モジュール（「ＳＩＭ」）カード中にプログラムすることができる。
【０００５】
ＭＩＮおよびＩＭＳＩは、互換性がないが、標準は、加入者識別子としてのＭＩＮからＩＭＳＩへの移行を支援するためにＭＩＮベースのＩＭＳＩ（ＭＢＩ）を定義している。ＭＢＩは、最初の５桁がサービス・プロバイダに割り当てられず、したがって、ネットワーク・アドレッシング、ルーティング、課金または決済目的に対して通信業者固有ではないことを除いてＩＭＳＩと同様にフォーマットされる。ＭＢＩの最後の１０桁はＭＩＮからなる。
【０００６】
一般に、ＩＴＵ−Ｔ勧告Ｅ．２１２により定義されているようなＩＭＳＩは、ＭＩＮベースＩＭＳＩを有するこのＩＭＳＩフォーマット（ＩＭＳＩ＿ＭおよびＭＢＩとも呼ばれる）と対比して真正のＩＭＳＩまたはＩＭＳＩ＿Ｔと呼ばれる。
【発明の開示】
【発明が解決しようとする課題】
【０００７】
残念なことに、標準における明確性の欠如のために、プログラミングならびに加入者識別子としてのＭＢＩおよび真正のＩＭＳＩの使用においてＣＤＭＡサービス・プロバイダのような、サービス・プロバイダ間に一貫性の欠如がある。各識別子およびその使用が、別個のかつ固有の識別子として定義されているが、これらは、同一の機能でないとしても類似のサービスを提供する。しかしながら、現在の標準によれば、これらは、非互換または相互運用可能であり、このことは、このようなシステム間をローミングする加入者の取扱いを非効率なものとする。この問題は、本発明中で対処されている。
【課題を解決するための手段】
【０００８】
移動局識別子を取り扱う方法の一実施形態では、パケット・データ・セッション取扱い機能の実行において移動局識別子全体が使用される少なくとも１つのネットワーク要素は、移動局識別子全体より短いものを使用するようにプログラムされる。ここで、移動局は、同一のＭＩＮベースＩＭＳＩおよび真正のＩＭＳＩでプログラムされ、ＩＭＳＩの最後の１０桁は、ＭＩＮベースのネットワーク要素中で使用されるＭＩＮと同一である。
【０００９】
例えば、１５桁のＭＩＮベースＩＭＳＩが受信されたとしても、ＩＭＳＩの１０桁のＭＳＩＮ部が、パケット・データ・セッション取扱い機能の実行に使用される。したがって、この１０桁の部分は、ＭＩＮベース・ネットワーク要素で使用される１０桁のＭＩＮに合致することになる。
【００１０】
パケット・データ・セッション取扱い機能の実施例は、ハンドオフ、ドーマント終結（ｄｏｍａｎｔ  ｃｌｏｓｕｒｅ）、セル境界呼配信などを含む。
【００１１】
この方法でプログラムされたネットワーク要素の実施例は、パケット・データ・サービス・ノード、パケット制御機能などを含む。
【００１２】
本発明は、添付の図面を参照して、非限定的実施形態についての以下の説明を読むことでより良く理解されるであろう。
【発明を実施するための最良の形態】
【００１３】
アーキテクチャ
本発明の実施形態は、ＣＤＭＡ通信システムまたはネットワークに関連して説明される。例えば、ＣＤＭＡ２０００セルラー通信ネットワークは、移動通信局（ＭＳ）に高速無線サービスを提供するための符号分割多重接続（ＣＤＭＡ）無線アクセス技術を使用する第３世代（３Ｇ）回線交換およびパケット交換データ・ベースのセルラー通信ネットワークである。サービスは、対話型およびバックグラウンド型トラフィック・クラス、ならびに音声、テキスト、インターネットおよびマルチメディア・アプリケーションのような会話型およびストリーミング型サービスを含む。
【００１４】
例示的ＩＰベースのＣＤＭＡ２０００セルラー通信ネットワークは、基地局（ＢＴＳ）と無線インタフェースを通じて通信する複数の移動局を含む。１つまたは複数のＢＴＳの各グループは、各協同するＢＴＳの無線資源を管理する、基地局制御装置（ＢＳＣ）およびパケット制御機能（ＰＣＦ）に接続され、かつ制御される。１つまたは複数の移動通信交換局（ＭＳＣ）は、加入者に対する携帯サービスの提供のためにＩＰベースのＣＤＭＡ２０００セルラー・パケット・データ通信ネットワークに接続することができると共に、パケット・データ・サービス・ノード（ＰＤＳＮ）は、ＣＤＭＡ２０００セルラー通信ネットワーク内のパケット・データ通信に向けられる交換およびルーティング機能を実行する。
【００１５】
ＣＤＭＡ２０００パケット・データ・セルラー通信ネットワークは、パケット移動体利用者にＩＰサービスを提供する。ＩＰサービスは、一般に、移動局とＰＤＳＮ間のポイント・ツウ・ポイント・プロトコル（ＰＰＰ）接続を提供する。ＰＰＰ接続が確立されると、ネゴシエーション・メッセージが、認証および圧縮、それに続く移動局のＩＰ登録に関して移動局とＰＤＳＮ間で交換される。その後、データが、例えば、音声会話またはファイル・ダウンロード中のように移動局からおよび移動局に対して送信されうる。しかしながら、移動局は、データが一定期間ＰＰＰ接続上で送信されていないとき、ドーマント状態となる。移動局が、ドーマント状態である場合には、移動体に割り当てられるトラフィック・チャネルはないが、ＰＰＰ接続は、移動局およびＰＤＳＮ両者の中で維持される。
【００１６】
本発明の一実施形態による無線通信システムを示す図１をここで参照する。図示されるように、少なくとも１つの移動局（ＭＳ）１０は、複数の基地局（ＢＴＳ、図示されない）、および、例えば、ＢＳＣ１２および２２のような複数の基地局制御装置（ＢＳＣ）を介して無線（高周波）インタフェースを通じて通信する。移動局１０は、携帯電話、携帯情報端末（ＰＤＡ）、ラップトップ・コンピュータ、ディジタル・ページャ、無線カード、およびデータ・ネットワークにアクセスする能力がある任意の他の装置を含む、任意の様々な装置の形を取ることができる。
【００１７】
ＢＳＣ１２および２２はそれぞれ、パケット制御機能（ＰＣＦ）ユニット１４および２４それぞれと関連付けることができる。代替として、ＢＳＣ１２および２２は、機能的に、ＰＣＦ１４および２４それぞれのパケット制御機能を含むことができる。さらに別の代替として、ＢＳＣ１２および２２のような２つ以上のＢＳＣを、同一のＰＣＦユニットと関連付けることができる。このことが、図１中のラベル３０の破線のブロックにより示される。ＰＣＦユニット３０が、２つの別個のＰＣＦユニットを含むのではなく、ＢＣＳ１２および２４両者にサービスを提供する単一のＰＣＦユニットであることが理解されるであろう。
【００１８】
さらに、図１のシステムは、ＢＳＣ１２および２２それぞれに結合される移動通信交換局（ＭＳＣ）１８および２８をさらに含む。複数のＭＳＣを、多数のＢＳＣとインタフェースを取るために利用することができること、および単一のＭＳＣが、２つ以上のＢＳＣとインタフェースを取ることができることを当業者は理解するであろう。図１は、単に明確化するために単一のＭＳＣとインタフェースを取る単一のＢＳＣを示している。ＭＳＣは、公知のいくつかの管理の役割（例えば、登録の管理、ハンドオフなど）を実行すると共に公衆交換電話網（ＰＳＴＮ）のような回線交換信号ネットワークに対する接続性を提供する。一般に、ＭＳＣは、移動局１０により提供される移動局識別子（ＭＳＩＤ）を使用して、回線交換呼のルーティングを制御する。
【００１９】
さらに、図１のシステムは、例えば、例示的ＰＤＳＮ３２のような、複数のパケット・データ・サービス・ノード（ＰＤＳＮ）を含むことができる。図示されてはいないが、ＢＳＣ、ＰＣＦおよびＰＤＳＮは、ＩＰベース・ネットワークを通じて相互に接続することができる。ＰＤＳＮは、インターネットのようなパケット・ネットワークに対する接続性（例えば、ゲートウェイとしての動作）を提供する。図１は、明確化のために単一のパケット・コア・ネットワーク３４に接続される単一のＰＤＳＮ３２を示す。ＰＣＦおよびＰＤＳＮは、パケット・データ・セッション取扱いおよびルーティングを制御するために移動局１０により提供される移動局識別子（ＭＳＩＤ）を使用する。
【００２０】
したがって、図１の通信システムが、移動局１０とパケット・コア・ネットワーク３４および／またはＰＳＴＮ３６間の通信を容易にすることを、当業者は理解するであろう。しかしながら、図１の通信システムの構成が、本質的に例示的なものであること、およびより少ないまたは追加の構成要素が、本発明を逸脱することなく通信システムの他の実施形態中で用いることができることが理解されるべきである。
【００２１】
移動局識別子または識別情報（ＭＳＩＤ）
米国においては、各移動局１０が、歴史的に、移動体識別番号（ＭＩＮ）からなる固有の移動局識別子（ＭＳＩＤ）を使用してきたことを当業者は理解するであろう。既存の標準では、ＭＩＮは１０桁の長さである。ＭＩＮは、北米における無線サービス・プロバイダに対してはＭＩＮブロック管理者により、また北米外の無線サービス・プロバイダに対しては国際ローミングＭＩＮ管理者により割り当てられ、運営されている。既存の標準の元で、各移動局１０は、２つの識別子でプログラムすることが許可されている。一方の識別子は、ＩＴＵ−Ｔ勧告Ｅ．２１２により定義された１５桁の「真正のＩＭＳＩ」である。他方の識別子は、本発明の背景技術中に説明された「ＭＩＮベースＩＭＳＴ」またはＭＢＩである。前記のように、ＭＩＮベースＩＭＳＩは、一意ではない（すなわち、一意にサービス・プロバイダを識別しない）５桁の「デフォルト」ネットワーク識別子が前置された１０桁のＭＩＮからなり、したがって、サービス・プロバイダ識別情報、ルーティング、拡張優先ローミング・リストなどのために使用することができない。
【００２２】
本発明の一実施形態では、各移動局は、以下に詳細に説明するように真正のＩＭＳＩおよびＭＩＮベースＩＭＳＩ両フィールド中の同一の番号を用いてプログラムされる。
【００２３】
ここで図２Ａを参照すると、本発明の一実施形態では、真正のＩＭＳＩおよびＭＩＮベースＩＭＳＩは、同一となるように選択され、それぞれが、１５桁の番号、すなわち３桁の国識別コード（ＭＣＣ）２００、それに続く２桁２０２および移動局識別番号（ＭＳＩＮ）２０６、の形を取る。ＭＣＣ２００に続く２桁２０２は、ＩＭＳＩの１１番目および１２番目の桁であり、ＩＭＳＩ＿１１＿１２と呼ばれうる。ＭＣＣおよびＩＭＳＩ＿１１＿１２は、５桁の部分２０４を形成する。ＭＳＩＮ２０６は、真正のＩＭＳＩおよびＭＩＮベースＩＭＳＩの最下位の１０桁中に配置され、かつ従来の１０桁のＭＩＮでから形成されうる。ＩＭＳＩを確立するためのこの方式は、ＩＭＳＩに対する現在の標準と異なっており、これは、ＭＢＩおよび真正のＩＭＳＩが同一であることまたはＭＩＮが、ＭＢＩおよび真正のＩＭＳＩ両者の最後の１０桁中にあることを期待しない。
【００２４】
さらに、ＭＩＮ２０６は、移動局の契約先ネットワークまたは移動体ローミング利用者にサービスを提供する訪問先ネットワークが、ＭＩＮの使用をサポートする場合、移動局１０に対するＭＩＮに対応し、使用することができる。これは、ＭＩＮ番号空間が、公的機関により割り当てられて、一意のＭＩＮが、各無線加入者に割り当てられることを保証するからである。本発明の一実施形態では、サービス・プロバイダが、ＭＩＮの一意性を保証することをＭＩＮ管理機関にもはや要求しないことになること、および各サービス・プロバイダが、それら自身のＭＳＩＮを運営するために公的機関を持たないことになることが期待される。すなわち、ＭＩＮとは異なって、各サービス・プロバイダは、他のサービス・プロバイダと無関係にＭＳＩＮ２０６を割り当てることが認められる。したがって、本発明の範囲内で、２つのサービス・プロバイダが、同一のＭＳＩＮ２０６を２つの異なる移動局に割り当てることが可能であることを、当業者は理解するであろう。しかしながら、２つの移動局は、世界中で一意となる１５桁のＩＭＳＩを生じる同一でない５桁部２０４を有することになる。最初にサービスを提供するシステムにアクセスしようとするとき、１５桁のＩＭＳＩ全体が、ローミングする移動局によって提示された場合、サービス提供システムは、ＭＣＣ＋ＩＭＳＩ＿１１＿１２を使用してローミングする加入者およびローミングする加入者の契約先サービス・プロバイダを識別する。この番号方式が、現在業界が直面する１０桁のＭＩＮ２０６の近時点での枯渇を軽減することを当業者は理解するであろう。さらに、以下に詳細に説明するように、移動局１０が、契約先ネットワーク内にある場合に、１０桁のＭＳＩＮが、契約先ネットワーク内で各移動局１０を一意に識別するために十分であることから、１５桁のＩＭＳＩではなく１０桁のＭＳＩＮ２０６を使用し続けることができる。
【００２５】
さらに、国際ローミングは、２種類のＩＭＳＩ、すなわち、ＭＩＮベースＩＭＳＩおよび真正のＩＭＳＩを使用するために要求される付加的なＩＭＳＩの管理、割当て、およびプロビジョニングなしにサポートされる。ここで、両種類のＩＭＳＩは、別個のＭＣＣ＋ＭＮＣ割当てを要求するのではなく、ＭＣＣ＋ＩＭＳＩ＿１１＿１２の同一の５桁部２０４を使用することができる。さらに、本発明の番号方式は、５桁のＭＣＣ＋ＭＮＣをサポートする現在のＥ．２１４ＧＴＴ実装と調和する。
【００２６】
さらに、提案された番号方式は、いくつかの標準におけるような６桁のＭＣＣ＋ＭＮＣの使用を避けるので、拡張優先ローミング・リスト（ｅＰＲＬ）に対する修正は、要求されない。ｅＰＲＬの使用は、（ａ）可能性のあるサービス提供システムに対して５桁のＭＣＣ＋ＩＭＳＩ＿１１＿１２を放送して自身を識別することを基地局に、かつ（ｂ）サービス提供システムを選択するために５桁のＭＣＣ＋ＩＭＳＩ＿１１＿１２を使用して、移動局１０中にプログラムされた優先ローミング・パートナーに対する５桁部の優先リストと５桁部を比較することによりアクセスすることを要求する。５桁のＭＣＣ＋ＩＭＳＩ＿１１＿１２は、拡張システム・パラメータ・メッセージ（ＥＳＰＭ）の中で基地局により無線で放送される。ＥＳＰＭ内の５桁のＭＣＣ＋ＩＭＳＩ＿１１＿１２を使用すると、５桁のＭＣＣ＋ＩＭＳＩ＿１１＿１２を有する移動体ｅＰＲＬは、再度プログラムされる必要がない。同様に、６桁のＭＣＣ＋ＭＮＣをサポートするためのＩＳ−２０００に対する修正および修正されたｅＰＲＬを用いて無線で移動体に供給するためのＩＳ−６８３に対する修正は、ＭＣＣ＋ＩＭＳＩ＿１１＿１２が、各サービス・プロバイダに対して一意である限りは要求されない。このことは、例えば、ある国が各サービス・プロバイダに１０個のＭＮＣ群を割り当てることにより３桁のＭＮＣを割り当てることを選択する場合に、遂行することができる。このようにして、サービス・プロバイダは、１０個のＭＮＣ割当ての任意の１つの最後の桁を使用して、ＭＳＩＮ番号空間中の１０桁のＭＩＮの最初の桁とすることができる。したがって、米国におけるような、６桁のＭＣＣプラスＭＮＣ割当てが、依然としてサポートされていることが理解されるであろう。
【００２７】
システム間パケット・データ・サービス
上記に説明したようにエンドユーザ装置中にプログラムされた加入者識別子、および既存の標準に規定されているような加入者識別情報のＭＩＮまたはＩＭＳＩ形式いずれかを使用する無線アクセス・ネットワークを用いて、本発明の実施形態により、サービスの中断を生じることになるシステム間の動作の処理能力によって、異なるＭＳＩＤの衝突を心配することなしに、システム間パケット・データ・サービスを、加入者に提供することができる。本発明によれば、契約先、訪問先、サービス提供、または対象システム中のＰＣＦおよびＰＤＳＮのようなネットワーク要素は、任意の単一加入者に対する同一の１０桁のＭＳＩＮを使用して、これらのシステム・サービス・プロバイダが完全１５桁のＩＭＳＩに基づくサービスを提供するまで、標準のシステム間動作を通じて非中断サービスを加入者に提供することができる。例えば、ＭＩＮベースＩＭＳＩを使用して機能を実行するＰＣＦおよびＰＤＳＮは、ＩＭＳＩの最後の１０桁またはＭＳＩＮ部を使用してＩＭＳＩベース機能を実行するようにプログラムされる。例えば、ＰＤＳＮ３２のようなＰＤＳＮは、この方法でプログラムされ、ＰＣＦユニット３０のようなＰＣＦユニットは、この方法などでプログラムされる。このプログラミングの利点は、実施例に関連して以下に詳細に説明される。
【実施例１】
【００２８】
ＭＩＮベース・ネットワーク要素からＭＩＮベースＩＭＳＩネットワーク要素へのローミング
例えば、ＢＳＣ１２およびＭＳＣ１８が、ＭＩＮベースである、すなわち、これらが、従来の方法で移動局１０のＭＳＩＤとしてＭＩＮを使用することを仮定する。また、ＢＳＣ２２およびＭＳＣ２８が、移動局１０のＭＳＩＤとしてＭＩＮベースＩＭＳＩを使用することを仮定する。移動局が、ＢＳＣ１２からＢＳＣ２２に移動するとき、ＰＤＳＮ３２は、ＭＩＮを使用するＢＳＣ１２との移動局１０の現在のデータ・セッションを識別する。ＢＳＣ２２が、移動局１０に対するサービスを提供するＢＳＣとして自身を確立しようとするとき、ＢＳＣ２２は、移動局１０のＭＩＮベースＩＭＳＩをＰＤＳＮ３２に伝達する。ＭＩＮおよびＭＩＮベースＩＭＳＩが合致しない（例えば、これらが、同一の桁数を含んでさえいない）ことから、従来は、ＰＤＳＮ３２は、移動局１０のデータ・セッションを継続しようとするものとしてＢＳＣ２２を認識しない。その代わりに、ＰＤＳＮ３２は、新規データ・セッションを確立しようとするものとしてＢＳＣ２２を認識する。したがって、新規のＢＳＣ２２データ・セッションを設定し、また、その後、旧ＢＳＣ１２データ・セッションを終了させるための信号伝達が実行されることになる。
【００２９】
しかしながら、本発明によれば、ＰＤＳＮ３２は、受信したＭＳＩＤの最後の１０桁を使用して動作するようにプログラムされる。上記の実施例では、本発明により動作するＰＤＳＮ３２は、移動局１０に対してＢＳＣ２２により使用されるＭＩＮベースＩＭＳＩの１０桁のＭＳＩＮ部と合致するものとして、移動局１０に対してＢＳＣ１２により使用される１０桁のＭＩＮを認識する。したがって、ＰＤＳＮ３２は、上記に説明した非効率性なしにＢＳＣ１２からＢＳＣ２２にデータ・セッションを転送する。上記のように、単一のＰＣＦユニット３０は、ＢＳＣ１２およびＢＳＣ２２両者にサービスを提供することができる。したがって、同一のＭＳＩＤミスマッチが、従来のＰＣＦユニットにおいては発生するおそれがあるが、本発明によるＰＣＦユニットにおいては発生しない。
【００３０】
さらに、本発明の利点の１つの実施例のみが、説明されているが、多数の他の実施例が存在する（例えば、ＭＩＮに対するＭＩＮベースＩＭＳＩのローミング、ＭＩＮベースＩＭＳＩに対するＭＩＮベースＩＭＳＩのローミング、など）ことを当業者は直ちに理解するであろう。さらに、実施例は、移動局ハンドオフに関連して与えられているが、類似の実施例および利点が、ドーマント終結、セル境界呼配信などに関連して存在することを当業者は理解するであろう。
【００３１】
詳細な利点
上記に説明したように、本発明の一実施形態によれば、ミスマッチを避けるために、パケット・コア・ネットワーク３４に対するインタフェース（例えば、ＰＤＳＮ３２およびＰＣＦ３０）に提供されるＭＳＩＤの最後の１０桁のみのが、加入者を一意に識別するために使用される。このことは、サービス・プロバイダおよびローミング・パートナーが、依然ＭＩＮ管理機関中にあることを示唆する。このことは、ＭＩＮベースＩＭＳＩネットワーク要素が、旧来のＭＩＮベース・ネットワーク要素とネットワーク接続することを可能とする。
【００３２】
しかしながら、徐々に、旧来のＭＩＮベースのネットワーク要素は、ＭＩＮベースＩＭＳＩおよび／または真正のＩＭＳＩベース・ネットワーク要素に切り替えられることが予想される。ＭＩＮベースＩＭＳＩネットワーク要素または真正のＩＭＳＩネットワーク要素が、ＭＩＮベース・ネットワーク要素ともはや相互ネットワーク化（例えば、接続）されないとき、真正のＩＭＳＩまたはＭＩＮベースＩＭＳＩを使用して機能を実行するネットワーク要素は、完全な１５桁のＩＭＳＩを使用してＩＭＳＩベースの機能を実行するように再プログラミングされる。この再プログラミングが行われたとしても、移動局の真正のＩＭＳＩおよびＭＩＮベースＩＭＳＩが、本発明の実施形態と関連して上記に説明したように合致するようにプログラムされる場合に、ミスマッチを避けることができる。
【００３３】
最終的には、真正のＩＭＳＩネットワーク要素のみの使用が、達成されうることが予想される。その時点では、ＰＣＦおよびＰＤＳＮは、既にエンドユーザ装置中にプログラムされている１５桁のＭＳＩＤに基づき機能するようにプログラムされることになる。移動端末装置の再プログラミングは要求されないであろう。
【００３４】
このように本発明を説明してきたが、同等のものを多様な方法で変更することができることが明白である。このような変形は、本発明を逸脱するものとはみなされず、全てのこのような修正は、本発明の範囲内に含まれるべきであることを意図している。
【図面の簡単な説明】
【００３５】
【図１】本発明の一実施形態による無線通信システムを示す図である。
【図２Ａ】本発明の一実施形態によるＩＭＳＩ番号方式を表現した図である。
【図１】
2009542160.tif 000003
【図２Ａ】
2009542160.tif 000004
【国際調査報告】
2009542160.tif 000005
2009542160.tif 000006
2009542160.tif 000007